(57)【要約】【課題】電子キャッシュレジスターやＰＯＳレジスター等のキャッシュレジスターに対して釣銭機を導入するにあたり、キャッシュレジスターのインターフェースの開発または改造を行う必要がなく、このためコストや手間を省くことができる金銭処理システムを提供する。【解決手段】金銭処理システムは、キャッシュレジスター１０と、キャッシュレジスター１０に通信接続された外部装置３０と、釣銭の出金を行う釣銭機２０とを備えている。外部装置３０は、キャッシュレジスター１０から送信される金銭情報の信号を受け取るようになっている。このような金銭処理システムにおいては、キャッシュレジスター１０から外部装置３０に送られる金銭情報の信号を途中部分で受け取り、この金銭情報の信号に基づいて釣銭機２０は釣銭の出金を行うようになっている。【選択図】図１
2009163536.tif 000002
【特許請求の範囲】
【請求項１】
キャッシュレジスターと、
前記キャッシュレジスターに通信接続され、当該キャッシュレジスターから送信される金銭情報の信号を受け取る外部装置と、
前記キャッシュレジスターから前記外部装置に送られる金銭情報の信号を前記キャッシュレジスターと前記外部装置との間の途中部分で受け取り、この金銭情報の信号に基づいて釣銭の出金を行う釣銭機と、
を備えたことを特徴とする金銭処理システム。
【請求項２】
前記キャッシュレジスターと前記外部装置との間の途中部分に分岐部材が設けられており、金銭情報の信号は、当該分岐部材を介して前記キャッシュレジスターから前記外部装置に送られるようになっており、前記分岐部材から更に前記釣銭機に金銭情報の信号が送られるようになっていることを特徴とする請求項１記載の金銭処理システム。
【請求項３】
前記キャッシュレジスターにはコネクタが取り付けられており、前記コネクタから前記外部装置に金銭情報の信号が送られるとともに、当該コネクタから更に前記釣銭機に金銭情報の信号が送られるようになっていることを特徴とする請求項１記載の金銭処理システム。
【請求項４】
前記外部装置は、前記キャッシュレジスターから受け取った金銭情報の印刷を行う印刷器、または前記キャッシュレジスターから受け取った金銭情報の表示を行う表示器であることを特徴とする請求項１乃至３のいずれか一項に記載の金銭処理システム。
【請求項５】
前記キャッシュレジスターから前記外部装置に送られる金銭情報の信号は、制御コードおよび／または文字コードからなる電文データであることを特徴とする請求項１乃至４のいずれか一項に記載の金銭処理システム。
【請求項６】
前記キャッシュレジスターから前記外部装置に送られる金銭情報の信号は、釣銭の概念を示す文字および釣銭額の数字に係る電文データ、ならびに／あるいは、顧客からの預かり金額の概念を示す文字、預かり金額の数字、売上合計の金額の概念を示す文字および売上合計の金額の数字に係る電文データであることを特徴とする請求項１乃至５のいずれか一項に記載の金銭処理システム。
【請求項７】
前記キャッシュレジスターから前記外部装置に送られる金銭情報の信号において、この金銭情報の信号における電文データの特定の位置にある情報の検出または電文データの特定の用語の情報の検出により釣銭額が特定され、当該特定された釣銭額に基づいて釣銭機は釣銭の出金を行うことを特徴とする請求項５または６記載の金銭処理システム。
【請求項８】
キャッシュレジスターと、
前記キャッシュレジスターに直接通信接続され、当該キャッシュレジスターから送信される金銭情報の信号を受け取り、この金銭情報の信号に基づいて釣銭の出金を行う釣銭機と、
を備え、
前記釣銭機は、前記キャッシュレジスターから金銭情報の信号を受け取ったときに、この金銭情報の印刷または表示を行ったというダミー情報を前記キャッシュレジスターに返信するようになっていることを特徴とする金銭処理システム。
【請求項９】
前記キャッシュレジスターから前記釣銭機に送られる金銭情報の信号は、制御コードおよび／または文字コードからなる電文データであることを特徴とする請求項８記載の金銭処理システム。
【請求項１０】
前記キャッシュレジスターから前記釣銭機に送られる金銭情報の信号は、釣銭の概念を示す文字および釣銭額の数字に係る電文データ、ならびに／あるいは、顧客からの預かり金額の概念を示す文字、預かり金額の数字、売上合計の金額の概念を示す文字および売上合計の金額の数字に係る電文データであることを特徴とする請求項８または９記載の金銭処理システム。
【請求項１１】
前記キャッシュレジスターから前記釣銭機に送られる金銭情報の信号において、この金銭情報の信号における電文データの特定の位置にある情報の検出または電文データの特定の用語の情報の検出により釣銭額が特定され、当該特定された釣銭額に基づいて釣銭機は釣銭の出金を行うことを特徴とする請求項９または１０記載の金銭処理システム。
【請求項１２】
前記キャッシュレジスターは、電子キャッシュレジスターまたはＰＯＳレジスターであることを特徴とする請求項１乃至１１のいずれか一項に記載の金銭処理システム。
【発明の詳細な説明】
【技術分野】
【０００１】
本発明は、電子キャッシュレジスターやＰＯＳレジスター等のキャッシュレジスターと、釣銭機とを備え、キャッシュレジスターにおいて顧客から金銭を預かったときに釣銭機から釣銭の出金を行うような金銭処理システムに関する。
【背景技術】
【０００２】
一般的に、ＰＯＳシステム（販売時点情報管理システム）において、ＰＯＳレジスターおよび当該ＰＯＳレジスターに通信接続される釣銭機が店舗に配置されている（例えば、特許文献１等参照）。そして、各店舗に配設される各々のＰＯＳレジスターには、これらの複数のＰＯＳレジスターの管理を行うホストコンピュータが通信接続されている。店舗において、顧客が商品の購入を行う際に、顧客が店員に金銭の支払いを行ったら、店員はＰＯＳレジスターに対して顧客からの預かり金額を手入力するともに、商品のコードまたは金額を手入力したり商品に付されたバーコード等の読み取りを自動で行ったりすることにより、ＰＯＳレジスターには顧客からの預かり金額および商品の金額が入力されることとなる。そして、ＰＯＳレジスターにおいて、顧客からの預かり金額から商品の金額を引いた額である釣銭額が算出され、この釣銭額に係る金銭情報の信号が釣銭機に送信される。釣銭機において、ＰＯＳレジスターから送信された金銭情報の信号に基づいて、釣銭の出金が自動で行われる。
【０００３】
また、上述のような従来のＰＯＳシステムに顧客からの預かり金額に入力する方法としては、特許文献２、３に示すものが知られている。特許文献２、３には、顧客からの預かり金額を店員がキャッシュレジスター等に手入力するとともに、金銭トレイ上に顧客から預かった貨幣（貨幣は、硬貨および紙幣を含む概念である）を載置し、金銭トレイ上の貨幣を撮影装置により撮影し、撮影装置により撮影された貨幣の画像データを解析することによりこの金銭トレイ上にある貨幣の合計金額を算出し、手入力による預かり金額と、金銭トレイ上に載置された貨幣の合計金額が一致するか否かを判別するような装置が開示されている。
【０００４】
【特許文献１】特開平６−８４０３６号公報
【特許文献２】特開２００４−２１３１４１号公報
【特許文献３】特開２００７−２５７５０２号公報
【発明の開示】
【発明が解決しようとする課題】
【０００５】
しかしながら、上述のような従来のＰＯＳシステムにおいては、ＰＯＳレジスターに対して新しい釣銭機を導入するにあたり、この新しい釣銭機をＰＯＳレジスターに接続する際には、釣銭機のインターフェースの開発を行うのみならず、ＰＯＳレジスターのインターフェースの開発または改造が必要であった。このため、釣銭機のインターフェースおよびＰＯＳレジスターのインターフェースの両方の開発や改造を行うにあたり、コストや手間がかかるという問題があった。
【０００６】
本発明は、このような点を考慮してなされたものであり、電子キャッシュレジスターやＰＯＳレジスター等のキャッシュレジスターに対して釣銭機を導入するにあたり、キャッシュレジスターのインターフェースの開発または改造を行う必要がなく、このためコストや手間を省くことができる金銭処理システムを提供することを目的とする。
【課題を解決するための手段】
【０００７】
本発明の金銭処理システムは、キャッシュレジスターと、前記キャッシュレジスターに通信接続され、当該キャッシュレジスターから送信される金銭情報の信号を受け取る外部装置と、前記キャッシュレジスターから前記外部装置に送られる金銭情報の信号を前記キャッシュレジスターと前記外部装置との間の途中部分で受け取り、この金銭情報の信号に基づいて釣銭の出金を行う釣銭機と、を備えたことを特徴とする。
【０００８】
このような金銭処理システムによれば、キャッシュレジスターから外部装置に送られる金銭情報の信号が途中で受け取られ、この途中で受け取られた金銭情報の信号が釣銭機に送信されることにより、釣銭機がこの金銭情報の信号に基づいて釣銭の出金を行うので、キャッシュレジスターのインターフェースを変更することなく、釣銭機に金銭情報の信号が送信されることとなる。このことにより、キャッシュレジスターに対して釣銭機を導入するにあたり、キャッシュレジスターのインターフェースの開発または改造を行う必要がなく、このためコストや手間を省くことができる。また、既設のキャッシュレジスターに対しても、新たな釣銭機を容易に導入することができるようになる。
【０００９】
上述のような金銭処理システムにおいては、前記キャッシュレジスターと前記外部装置との間の途中部分に分岐部材が設けられており、金銭情報の信号は、当該分岐部材を介して前記キャッシュレジスターから前記外部装置に送られるようになっており、前記分岐部材から更に前記釣銭機に金銭情報の信号が送られるようになっていることが好ましい。あるいは、前記キャッシュレジスターにはコネクタが取り付けられており、前記コネクタから前記外部装置に金銭情報の信号が送られるとともに、当該コネクタから更に前記釣銭機に金銭情報の信号が送られるようになっていてもよい。
【００１０】
上述のような金銭処理システムにおいては、前記外部装置は、前記キャッシュレジスターから受け取った金銭情報の印刷を行う印刷器、または前記キャッシュレジスターから受け取った金銭情報の表示を行う表示器であることが好ましい。
【００１１】
上述のような金銭処理システムにおいては、前記キャッシュレジスターから前記外部装置に送られる金銭情報の信号は、制御コードおよび／または文字コードからなる電文データであることが好ましい。
【００１２】
また、前記キャッシュレジスターから前記外部装置に送られる金銭情報の信号は、釣銭の概念を示す文字および釣銭額の数字に係る電文データ、ならびに／あるいは、顧客からの預かり金額の概念を示す文字、預かり金額の数字、売上合計の金額の概念を示す文字および売上合計の金額の数字に係る電文データであることが好ましい。
【００１３】
ここで、前記キャッシュレジスターから前記外部装置に送られる金銭情報の信号において、この金銭情報の信号における電文データの特定の位置にある情報の検出または電文データの特定の用語の情報の検出により釣銭額が特定され、当該特定された釣銭額に基づいて釣銭機は釣銭の出金を行うことがより好ましい。
【００１４】
本発明の金銭処理システムは、キャッシュレジスターと、前記キャッシュレジスターに直接通信接続され、当該キャッシュレジスターから送信される金銭情報の信号を受け取り、この金銭情報の信号に基づいて釣銭の出金を行う釣銭機と、を備え、前記釣銭機は、前記キャッシュレジスターから金銭情報の信号を受け取ったときに、この金銭情報の印刷または表示を行ったというダミー情報を前記キャッシュレジスターに返信するようになっていることを特徴とする。
【００１５】
このような金銭処理システムによれば、キャッシュレジスターは、金銭情報の印刷を行う印刷器や、金銭情報の表示を行う表示器等の外部装置に金銭情報の信号を送るような形態で、釣銭機に金銭情報の信号の送信を行うことができるようになる。そして、釣銭機は、キャッシュレジスターから金銭情報の信号を受け取ったときに、この金銭情報の印刷または表示を行ったというダミー情報をキャッシュレジスターに返信するので、キャッシュレジスターは、金銭情報の印刷または表示を行ったというダミー情報を受け取った後に、次の動作を行うことができるようになる。釣銭機が上述のような構成となっていることにより、キャッシュレジスターに対して釣銭機を導入するにあたり、キャッシュレジスターのインターフェースの開発または改造を行う必要がなく、このためコストや手間を省くことができる。また、既設のキャッシュレジスターに対しても、新たな釣銭機を容易に導入することができるようになる。
【００１６】
上述のような金銭処理システムにおいては、前記キャッシュレジスターから前記釣銭機に送られる金銭情報の信号は、制御コードおよび／または文字コードからなる電文データであることが好ましい。
【００１７】
また、前記キャッシュレジスターから前記釣銭機に送られる金銭情報の信号は、釣銭の概念を示す文字および釣銭額の数字に係る電文データ、ならびに／あるいは、顧客からの預かり金額の概念を示す文字、預かり金額の数字、売上合計の金額の概念を示す文字および売上合計の金額の数字に係る電文データであることが好ましい。
【００１８】
ここで、前記キャッシュレジスターから前記釣銭機に送られる金銭情報の信号において、この金銭情報の信号における電文データの特定の位置にある情報の検出または電文データの特定の用語の情報の検出により釣銭額が特定され、当該特定された釣銭額に基づいて釣銭機は釣銭の出金を行うことがより好ましい。
【００１９】
上述のような金銭処理システムにおいては、前記キャッシュレジスターは、電子キャッシュレジスターまたはＰＯＳレジスターであることが好ましい。
【発明の効果】
【００２０】
本発明の金銭処理システムによれば、電子キャッシュレジスターやＰＯＳレジスター等のキャッシュレジスターに対して釣銭機を導入するにあたり、キャッシュレジスターのインターフェースの開発または改造を行う必要がなく、このためコストや手間を省くことができる。
【発明を実施するための最良の形態】
【００２１】
以下、図面を参照して本発明の一の実施の形態について説明する。図１乃至図７は、本発明による金銭処理システムの一の実施の形態を示す図である。
このうち、図１は、本発明の一の実施の形態における金銭処理システムの一の構成を示す概略構成図であり、図２は、本発明の一の実施の形態における金銭処理システムの他の構成を示す概略構成図である。また、図３乃至図５は、それぞれ、本発明の一の実施の形態における金銭処理システムの更に他の構成を示す概略構成図である。また、図６（ａ）は、図２に示す金銭処理システムにおいてプリンターにより紙等の印刷媒体に印刷される印字データを示し、図６（ｂ）は、キャッシュレジスターから送信される電文データを示す。また、図７（ａ）は、図１に示す金銭処理システムにおいてディスプレイにより表示される画面を示し、図７（ｂ）は、キャッシュレジスターから送信される電文データを示す。
【００２２】
図１に示すように、本実施の形態における金銭処理システムは、キャッシュレジスター１０と、キャッシュレジスター１０に通信接続され、当該キャッシュレジスター１０から送信される金銭情報の信号を受け取り、この受け取った金銭情報の表示を行うディスプレイ３０とを備えている。また、このような金銭処理システムには、釣銭の出金を行う釣銭機２０がキャッシュレジスター１０の近傍に設けられている。キャッシュレジスター１０、釣銭機２０およびディスプレイ３０は店舗に配設されている。
なお、ディスプレイ３０は、キャッシュレジスター１０の近傍に設けられていてもよく、あるいは、ディスプレイ３０とキャッシュレジスター１０とが一体型のものとなっていてもよい。
【００２３】
以下、このような金銭処理システムの各構成要素について詳述する。
【００２４】
キャッシュレジスター１０は、店舗において顧客が店員に金銭の支払いを行うときに店員が操作するものであり、例えば電子キャッシュレジスター（ＥＣＲ；Ｅｌｅｃｔｒｉｃ  Ｃａｓｈ  Ｒｅｓｉｓｔｅｒ）から構成されている。顧客が商品の購入を行う際に、顧客が店員に金銭の支払いを行ったら、店員はキャッシュレジスター１０に対して顧客からの預かり金額を手入力するようになっている。また、キャッシュレジスター１０には、ハンディスキャナや据置型スキャナ等のスキャナ機構（図示せず）が接続されており、商品に付されたバーコード等の読み取りをこのようなスキャナ機構で行うことにより商品の金額がキャッシュレジスター１０に入力されるようになっている。キャッシュレジスター１０にスキャナ機構が接続されていない場合には、店員はキャッシュレジスター１０に対して商品の金額を手入力することとなる。そして、このようなキャッシュレジスター１０において、顧客からの預かり金額から商品の合計金額（売上金額）を減算することにより、釣銭額が算出されるようになっている。具体的には、例えば、商品の合計金額が３，９００円であり、顧客から５，０００円を預かった場合には、キャッシュレジスター１０において釣銭額は１，１００円（＝５，０００円−３，９００円）であることが算出される。
【００２５】
また、キャッシュレジスター１０には出入力端子等からなるコネクタ１２が設けられており、このコネクタ１２より外部へ金銭情報の信号の送信を行うことができるようになっている。
【００２６】
なお、図１に示すような金銭処理システムにおいて、キャッシュレジスター１０は、上述のような売上金額、預かり金額および釣銭額等の全てまたは一部を印刷媒体等に印刷するプリンターを内蔵するようになっていてもよい。あるいは、このようなプリンターがキャッシュレジスター１０の近傍に設けられるようになっていてもよい。
【００２７】
ディスプレイ３０は、前述のように、キャッシュレジスター１０から送信された金銭情報の表示を行うようになっている。このディスプレイ３０には例えば出入力端子等からなるコネクタ３２が接続されており、キャッシュレジスター１０のコネクタ１２とディスプレイ３０のコネクタ３２とは主通信ケーブル１４により通信接続されている。ここで、商品の合計金額（売上金額）が３，９００円であり、顧客からの預かり金額が５，０００円であり、釣銭額が１，１００円である場合には、ディスプレイ３０には図７（ａ）に示すような表示がなされる。
【００２８】
キャッシュレジスター１０とディスプレイ３０とを接続する主通信ケーブル１４には、中継コネクタや中継基板等の分岐部材４０が介設されている。そして、この分岐部材４０から、分岐通信ケーブル２４が分岐するようになっている。一方、釣銭の出金を行う釣銭機２０には例えば出入力端子等からなるコネクタ２２が接続されており、分岐通信ケーブル２４はこのコネクタ２２に接続されるようになっている。分岐通信ケーブル２４が主通信ケーブル１４から分岐していることにより、主通信ケーブル１４を介してキャッシュレジスター１０からディスプレイ３０に送られる金銭情報の信号は、分岐部材４０で分岐して分岐通信ケーブル２４を介して釣銭機２０に送られるようになっている。釣銭機２０は、この金銭情報の信号に基づいて、適切な金額の釣銭の出金を行うようになっている。
【００２９】
ここで、キャッシュレジスター１０から送信される金銭情報の信号は、制御コードおよび／または文字コードからなる電文データとなっている。このような電文データの一例を図７（ｂ）に示す。図７（ｂ）に示す電文データ８０は、商品の合計金額が３，９００円であり、顧客からの預かり金額が５，０００円であり、釣銭額が１，１００円であることを示すデータである。具体的には、図７（ｂ）に示す電文データ８０において、符号８０ａで示される「02」というコードは「出力データの開始」を示し、符号８０ｂの列における１０個の数字のコードは売上金額（具体的には、例えば３，９００円）を示す。また、符号８０ｃの列における１０個の数字のコードは預かり金額（具体的には、例えば５，０００円）を示し、符号８０ｄの列における１０個の数字のコードは釣銭額（具体的には、例えば１，１００円）を示す。また、符号８０ｅで示される「03」というコードは「出力データの終了」を示す。なお、符号８０ｆで示される「0C」というコードは、出力データのチェック用コードである。
【００３０】
電文データ８０の送信において、実際には、符号８０ａ、８０ｂ、８０ｃ、８０ｄ、８０ｅ、８０ｆの順番で、３３個の２桁のコードが順に送られるようになっている。そして、金銭情報の信号において、電文データ８０の特定の位置（特定の順番）にある情報を検出することにより、具体的には２番目、１２番目、２２番目から１０個のコードをそれぞれ検出することにより、売上金額、預かり金額、釣銭額をそれぞれ特定する。そして、この特定された金額（具体的には釣銭額）に基づいて、釣銭機２０は釣銭の出金を行うようになっている。このように、釣銭機２０は、電文データ８０の特定の位置にある情報を検出することにより釣銭額を特定することができる。
【００３１】
次に、このような構成からなる金銭処理システムの動作について説明する。
【００３２】
まず、店舗において顧客が商品の購入を行う際に、顧客は店員に金銭の支払いを行う。店員は、キャッシュレジスター１０に対して顧客からの預かり金額を手入力するとともに、ハンディスキャナや据置型スキャナ等のスキャナ機構を用いることにより、あるいは手入力で、商品の金額をキャッシュレジスター１０に入力する。キャッシュレジスター１０において、顧客からの預かり金額から商品の合計金額を減算することにより、釣銭額を算出する。
【００３３】
ここで、商品の合計金額である売上金額、顧客からの預かり金額、および釣銭額は、キャッシュレジスター１０において図７（ｂ）に示すような電文データ８０に変換され、この電文データ８０が金銭情報の信号として主通信ケーブル１４を介してディスプレイ３０に送られる。そして、ディスプレイ３０は、送信された金銭情報の信号に基づいて、図７（ａ）に示すように売上金額、預かり金額、および釣銭額の表示を行う。その後、ディスプレイ３０は、これらの売上金額、預かり金額、および釣銭額の表示を行ったという応答信号をキャッシュレジスター１０に返す。このことにより、キャッシュレジスター１０は次の動作を行うことができるようになる。
【００３４】
一方、キャッシュレジスター１０からディスプレイ３０に送られる金銭情報の信号は、分岐部材４０により分岐通信ケーブル２４を介して釣銭機２０にも送られる。そして、釣銭機２０は、この金銭情報の信号に基づいて、釣銭の出金を行う。その後、店員は、釣銭機２０から出金された釣銭を顧客に手渡す。このようにして、金銭処理システムの一連の動作が終了する。
【００３５】
以上のように本実施の形態の金銭処理システムによれば、キャッシュレジスター１０からディスプレイ３０等の外部装置に送られる金銭情報の信号を途中で受け取り、この途中で受け取られた金銭情報の信号が釣銭機２０に送信されることにより、釣銭機２０がこの金銭情報の信号に基づいて釣銭の出金を行うようになっている。このため、キャッシュレジスター１０のインターフェースを変更することなく、釣銭機２０に金銭情報の信号が送信されることとなる。このことにより、キャッシュレジスター１０に対して釣銭機２０を導入するにあたり、キャッシュレジスター１０のインターフェースの開発または改造を行う必要がなく、このためコストや手間を省くことができる。また、既設のキャッシュレジスター１０に対しても、新たな釣銭機２０を容易に導入することができるようになる。
【００３６】
なお、本発明による金銭処理システムは、上記の態様に限定されるものではなく、様々の変更を加えることができる。
【００３７】
例えば、キャッシュレジスター１０に通信接続される外部装置はディスプレイ３０に限定されることはなく、図２に示すように例えば外付けのプリンター３１がキャッシュレジスター１０に通信接続されるようになっており、このプリンター３１が外部装置として用いられるようになっていてもよい。具体的には、プリンター３１には例えば出入力端子等からなるコネクタ３３が接続されており、キャッシュレジスター１０のコネクタ１２とプリンター３１のコネクタ３３とが主通信ケーブル１４により通信接続されている。ここで、キャッシュレジスター１０により釣銭額が１，５００円であることが算出された場合には、この釣銭額に係る金銭情報の信号がプリンター３１に送信され、プリンター３１は紙等の印刷媒体に、図６（ａ）に示すような「オツリ  ￥１，５００」という印刷を行う。
【００３８】
キャッシュレジスター１０からプリンター３１に送られる金銭情報の信号は、図６（ｂ）に示すような電文データ７０となっている。具体的には、「オツリ  ￥１，５００−」という文字が、１６個の２桁のコードに変換され、電文データ７０を送信するにあたり、この１６個のコードが順に送られるようになっている。この場合に、「オツリ」は「B5  C2  D8」というコードに、「￥」は「5C」というコードにそれぞれ変換されているが、釣銭機２０は、電文データ７０を受信したときに、「オツリ」「￥」という特定の用語の検出、すなわち、「B5  C2  D8」「5C」というコードの検出を行い、「5C」の後に続くコードを「釣銭額」に係るコードであると特定する。このように、釣銭機２０は、電文データ７０の特定の用語の検出により釣銭額を特定することができる。
【００３９】
このように、キャッシュレジスター１０に通信接続される外部装置としてプリンター３１を用いた場合にも、キャッシュレジスター１０のインターフェースを変更することなく、釣銭機２０に金銭情報の信号が送信されることとなる。
【００４０】
また、キャッシュレジスター１０からディスプレイ３０やプリンター３１に送られる金銭情報の信号は、図６（ｂ）や図７（ｂ）に示すような電文データ７０、８０に限定されることはなく、制御コードおよび／または文字コードからなる電文データであれば、様々な種類のものを用いることができる。例えば、金銭情報の信号が、売上金額および預かり金額に関する情報を示す電文データとなっており、釣銭機２０は、このような金銭情報の信号を受け取った後に、釣銭機２０内で顧客からの預かり金額から売上金額を減算することにより釣銭額を算出するようになっていてもよい。
【００４１】
また、本発明におけるキャッシュレジスターは、上述のような電子キャッシュレジスター（ＥＣＲ）に限定されることはなく、図３に示すようなＰＯＳレジスター１０ａであってもよい。このようなＰＯＳレジスター１０ａは、各店舗に設置される複数のＰＯＳレジスター１０ａの管理を行うホストコンピュータ５０に、通信ケーブル５２を介して通信接続されている。
【００４２】
ＰＯＳレジスター１０ａおよびホストコンピュータ５０を備えたＰＯＳシステムにおいては、このようなＰＯＳレジスター１０ａに接続されたハンディスキャナや据置型スキャナ等のスキャナ機構（例えば、バーコードリーダー）により、商品に付されたバーコード等の読み取りを行ったときに、読み取られた商品のバーコード等の情報はホストコンピュータ５０に送られる。そして、ＰＯＳレジスター１０ａから送られた情報に基づいて、ホストコンピュータ５０は、当該ホストコンピュータ５０に格納された商品の金額等のデータをＰＯＳレジスター１０ａに返す。このことによりＰＯＳレジスター１０ａにおいて、商品の金額が自動的に入力される。
【００４３】
あるいは、ＰＯＳレジスター１０ａの立ち上げ時において、ホストコンピュータ５０からこのＰＯＳレジスター１０ａに商品の金額等のデータが都度送られるようになっており、ＰＯＳレジスター１０ａはホストコンピュータ５０から送られた商品の金額等のデータを格納するようになっていてもよい。この場合、ＰＯＳレジスター１０ａは、商品に付されたバーコード等の読み取りを行ったときに、当該ＰＯＳレジスター１０ａに格納された商品の金額等のデータに基づいて、商品の金額等を自動的に算出するようになる。
【００４４】
このようなＰＯＳシステムにおいても、ＰＯＳレジスター１０ａとディスプレイ３０とを通信接続する主通信ケーブル１４には分岐部材４０が介設されており、この分岐部材４０から分岐通信ケーブル２４が分岐するようになっている。そして、ＰＯＳレジスター１０ａからディスプレイ３０に送られる金銭情報の信号を途中で受け取り、この途中で受け取られた金銭情報の信号が釣銭機２０に送信されることにより、釣銭機２０がこの金銭情報の信号に基づいて釣銭の出金を行うようになっている。
【００４５】
このため、図３に示すようなＰＯＳシステムにおいては、ＰＯＳレジスター１０ａのインターフェースを変更することなく、釣銭機２０に金銭情報の信号が送信されることとなる。このことにより、ＰＯＳレジスター１０ａに対して釣銭機２０を導入するにあたり、ＰＯＳレジスター１０ａのインターフェースの開発または改造を行う必要がなく、このためコストや手間を省くことができる。また、既設のＰＯＳレジスター１０ａに対しても、新たな釣銭機２０を容易に導入することができるようになる。
【００４６】
また、更に他の変形例においては、主通信ケーブル１４に中継コネクタや中継基板等の分岐部材４０を介設する代わりに、図４に示すように、キャッシュレジスター１０のコネクタ１２から釣銭機２０のコネクタ２２まで直接、通信ケーブル２４ａが設けられるようになっていてもよい。この場合でも、キャッシュレジスター１０からディスプレイ３０に送られる金銭情報の信号は、キャッシュレジスター１０のコネクタ１２から分岐して通信ケーブル２４ａを介して釣銭機２０に送られることとなり、釣銭機２０がこの金銭情報の信号に基づいて釣銭の出金を行う。
【００４７】
更に他の変形例としては、図５に示すように、ディスプレイ３０のコネクタ３２から釣銭機２０のコネクタ２２まで直接、通信ケーブル２４ｂが設けられるようになっていてもよい。この場合でも、キャッシュレジスター１０からディスプレイ３０に送られる金銭情報の信号は、ディスプレイ３０のコネクタ３２から分岐して通信ケーブル２４ｂを介して釣銭機２０に送られることとなり、釣銭機２０がこの金銭情報の信号に基づいて釣銭の出金を行う。
【００４８】
更に他の変形例について、図８を用いて説明する。図８は、本発明における金銭処理システムの更に他の構成を示す概略構成図である。
【００４９】
図８に示す金銭処理システムは、キャッシュレジスター１０と、このキャッシュレジスター１０に直接的に通信接続された釣銭機２６とを備えている。ここで、釣銭機２６は、キャッシュレジスター１０から送信される金銭情報の信号を受け取り、この金銭情報の信号に基づいて釣銭の出金を行うようになっている。
【００５０】
具体的には、キャッシュレジスター１０および釣銭機２６には、それぞれ出入力端子等からなるコネクタ１２、２８がそれぞれ設けられており、これらのコネクタ１２、２８は通信ケーブル１６により通信接続されている。そして、釣銭機２６は、キャッシュレジスター１０から通信ケーブル１６を介して金銭情報の信号を受け取ったときに、この金銭情報の印刷または表示を行ったというダミー情報をキャッシュレジスター１０に返すようになっている。
【００５１】
図８に示すような本発明の変形例に係る金銭処理システムの動作について以下に説明する。
【００５２】
まず、店舗において顧客が商品の購入を行う際に、顧客は店員に金銭の支払いを行う。店員は、キャッシュレジスター１０に対して顧客からの預かり金額を手入力するとともに、ハンディスキャナや据置型スキャナ等のスキャナ機構を用いることにより、あるいは手入力で、商品の金額をキャッシュレジスター１０に入力する。キャッシュレジスター１０において、顧客からの預かり金額から商品の合計金額を減算することにより、釣銭額を算出する。
【００５３】
ここで、商品の合計金額である売上金額、顧客からの預かり金額、および釣銭額は、キャッシュレジスター１０において図７（ｂ）に示すような電文データ８０に変換され、この電文データ８０が金銭情報の信号として通信ケーブル１６を介して釣銭機２６に送られる。そして、釣銭機２６は、売上金額、預かり金額、および釣銭額の表示または印刷を行ったというダミー情報をキャッシュレジスター１０に返す。このことにより、キャッシュレジスター１０は次の動作を行うことができるようになる。
【００５４】
一方、釣銭機２６は、キャッシュレジスター１０から送られた金銭情報の信号に基づいて、釣銭の出金を行う。その後、店員は、釣銭機２６から出金された釣銭を顧客に手渡す。このようにして、金銭処理システムの一連の動作が終了する。
【００５５】
図８に示すような金銭処理システムによれば、キャッシュレジスター１０は、金銭情報の印刷を行うプリンターや、金銭情報の表示を行うディスプレイ等の外部装置に金銭情報の信号を送るような形態で、釣銭機２６に金銭情報の信号の送信を行うことができるようになる。そして、釣銭機２６は、キャッシュレジスター１０から金銭情報の信号を受け取ったときに、この金銭情報の印刷または表示を行ったというダミー情報をキャッシュレジスター１０に返信するので、キャッシュレジスター１０は、金銭情報の印刷または表示を行ったというダミー情報を受け取った後に、次の動作を行うことができるようになる。釣銭機２６が上述のような構成となっていることにより、キャッシュレジスター１０に対して釣銭機２６を導入するにあたり、キャッシュレジスター１０のインターフェースの開発または改造を行う必要がなく、このためコストや手間を省くことができる。また、既設のキャッシュレジスター１０に対しても、新たな釣銭機２６を容易に導入することができるようになる。
【図面の簡単な説明】
【００５６】
【図１】本発明における金銭処理システムの一の構成を示す概略構成図である。
【図２】本発明における金銭処理システムの他の構成を示す概略構成図である。
【図３】本発明における金銭処理システムの更に他の構成を示す概略構成図である。
【図４】本発明における金銭処理システムの更に他の構成を示す概略構成図である。
【図５】本発明における金銭処理システムの更に他の構成を示す概略構成図である。
【図６】（ａ）は、図２に示す金銭処理システムにおいてプリンターにより紙等の印刷媒体に印刷される印字データを示し、（ｂ）は、キャッシュレジスターから送信される電文データを示す。
【図７】（ａ）は、図１に示す金銭処理システムにおいてディスプレイにより表示される画面を示し、（ｂ）は、キャッシュレジスターから送信される電文データを示す。
【図８】本発明における金銭処理システムの更に他の構成を示す概略構成図である。
【符号の説明】
【００５７】
１０  キャッシュレジスター
１０ａ  ＰＯＳレジスター
１２  コネクタ
１４  主通信ケーブル
１６  通信ケーブル
２０  釣銭機
２２  コネクタ
２４  分岐通信ケーブル
２４ａ  通信ケーブル
２４ｂ  通信ケーブル
２６  釣銭機
２８  コネクタ
３０  ディスプレイ
３１  プリンター
３２  コネクタ
３３  コネクタ
４０  分岐部材
５０  ホストコンピュータ
５２  通信ケーブル
７０  電文データ
８０  電文データ
【図１】
2009163536.tif 000003
【図２】
2009163536.tif 000004
【図３】
2009163536.tif 000005
【図４】
2009163536.tif 000006
【図５】
2009163536.tif 000007
【図６】
2009163536.tif 000008
【図７】
2009163536.tif 000009
【図８】
2009163536.tif 000010